(57)【特許請求の範囲】
【請求項１】
媒体を分離して搬送する媒体搬送装置であって、
媒体の搬送路に配置された第１のユニットと、
前記第１のユニットに回動可能に設けられた案内部材と、
前記第１のユニットに着脱可能に設けられ、前記案内部材の被係合部に係合する係合部が形成された第２のユニットと、
を有し、
前記第１のユニットは、前記媒体の搬送方向と直交する方向に移動可能に設けられ、
前記第１のユニットに前記第２のユニットが装着されたとき、前記係合部と前記被係合部とが係合し、前記案内部材は、回動して前記搬送路を開放するとともに、搬送される媒体を案内し、
前記第１のユニットから前記第２のユニットが外されたとき、前記係合部と前記被係合部との係合が解かれ、前記案内部材は、回動して前記搬送路を閉塞し、
さらに、前記媒体を収容する媒体収容部を有し、
前記媒体収容部は、前記媒体の搬送方向と直交する方向に移動可能に設けられ、前記媒体の端部と当接する媒体収容壁を有し、
前記第１のユニットは、前記媒体収容壁と連動して同一方向に移動することを特徴とする媒体搬送装置。
【請求項２】
請求項１に記載の媒体搬送装置において、
前記第１のユニットは、前記媒体の先端部が当接する当接部を有し、
前記案内部材には、前記案内部材が前記搬送路を閉塞したときに、閉塞された前記搬送路において搬送される前記媒体を前記当接部へ案内する案内部が形成されていることを特徴とする媒体搬送装置。
【請求項３】
請求項１または請求項２に記載の媒体搬送装置において、
前記第１のユニットは、前記媒体の先端部を収容する切欠き部を有し、
前記案内部材には、前記案内部材が前記搬送路を閉塞したときに、閉塞された前記搬送路において搬送される前記媒体を前記切欠き部へ案内する傾斜面が形成されていることを特徴とする媒体搬送装置。
【請求項４】
請求項１から請求項３のいずれかに記載の媒体搬送装置において、
前記案内部材は、回転軸から前記媒体搬送方向における上流側に延伸する誤搬送防止部材を有し、
前記誤搬送防止部材が前記搬送路を閉塞することを特徴とする媒体搬送装置。
【請求項５】
請求項１から請求項４のいずれかに記載の媒体搬送装置において、
前記案内部材は、前記搬送路の上方に配置された回転軸で回転可能に支持され、前記係合部と前記被係合部との係合が解かれると、自重で回動することを特徴とする媒体搬送装置。
【請求項６】
請求項１から請求項５のいずれかに記載の媒体搬送装置において、
前記第１のユニットは、前記係合部と前記被係合部との係合が解かれると、前記搬送路を閉塞する位置で前記案内部材の回動を規制する規制部を有することを特徴とする媒体搬送装置。
【請求項７】
請求項１から請求項６のいずれかに記載の媒体搬送装置において、
前記第２のユニットは、媒体を分離する分離手段を有することを特徴とする媒体搬送装置。
【発明の詳細な説明】
【技術分野】
【０００１】
本発明は、積層された媒体を分離して搬送する媒体搬送装置に関する。
【背景技術】
【０００２】
従来の媒体搬送装置は、給紙ローラとしての給紙コロを取り外した後、パッドユニットをケーシングの装着部から完全に脱離した状態において、規制部材を突出させて検知部材の回動を規制し、その検知部材の位置をセンサ等の検知手段により検知することにより、パッドユニットが取り外された状態で給紙コロが取り付けられた場合に、用紙が複数枚重なって装置本体の内部に搬送されてしまう誤搬送を抑制するようにしている（例えば、特許文献１参照）。
【先行技術文献】
【特許文献】
【０００３】
【特許文献１】特開２０１２−３０９６１号公報
【発明の概要】
【発明が解決しようとする課題】
【０００４】
しかしながら、従来の技術においては、用紙が複数枚重なって装置本体の内部に搬送されてしまう誤搬送を抑制するため、パッドユニットをケーシングの装着部から完全に脱離した状態において、規制部材を突出させて検知部材の回動を規制し、その検知部材の位置を検知する検知手段を備える必要があり、媒体の誤搬送を抑制する構成が複雑になってしまうという問題がある。
本発明は、このような問題を解決することを課題とし、簡易な構成で媒体の誤搬送を抑制することを目的とする。
【課題を解決するための手段】
【０００５】
そのため、本発明は、媒体を分離して搬送する媒体搬送装置であって、媒体の搬送路に配置された第１のユニットと、前記第１のユニットに回動可能に設けられた案内部材と、前記第１のユニットに着脱可能に設けられ、前記案内部材の被係合部に係合する係合部が形成された第２のユニットと、を有し、前記第１のユニットは、前記媒体の搬送方向と直交する方向に移動可能に設けられ、前記第１のユニットに前記第２のユニットが装着されたとき、前記係合部と前記被係合部とが係合し、前記案内部材は、回動して前記搬送路を開放するとともに、搬送される媒体を案内し、前記第１のユニットから前記第２のユニットが外されたとき、前記係合部と前記被係合部との係合が解かれ、前記案内部材は、回動して前記搬送路を閉塞し、さらに、前記媒体を収容する媒体収容部を有し、前記媒体収容部は、前記媒体の搬送方向と直交する方向に移動可能に設けられ、前記媒体の端部と当接する媒体収容壁を有し、前記第１のユニットは、前記媒体収容壁と連動して同一方向に移動することを特徴とする。
【発明の効果】
【０００６】
このようにした本発明は、簡易な構成で媒体の誤搬送を抑制することができるという効果が得られる。
【図面の簡単な説明】
【０００７】
【図１】第１の実施例における媒体搬送装置の斜視図
【図２】第１の実施例におけるリタードユニットの斜視図
【図３】第１の実施例における幅広媒体使用時の媒体搬送装置の説明図
【図４】第１の実施例における幅狭媒体使用時の媒体搬送装置の説明図
【図５】第１の実施例における媒体搬送装置の断面図
【図６】第１の実施例におけるリタードユニットの断面図
【図７】第１の実施例におけるリタードインユニット取外し時の媒体搬送装置の断面図
【図８】第１の実施例におけるリタードインユニット取外し時の用紙ガイドの説明図
【図９】第２の実施例におけるリタードインユニットの斜視図
【図１０】第２の実施例におけるリタードインユニット取外し時の媒体搬送装置の断面図
【図１１】第２の実施例におけるリタードインユニット取外し時の媒体搬送装置の説明図
【発明を実施するための形態】
【０００８】
以下、図面を参照して本発明による媒体搬送装置の実施例を説明する。
【実施例１】
【０００９】
図１は第１の実施例における媒体搬送装置の斜視図である。
図１において、媒体搬送装置としてのＣＳＦ（Ｃｕｔ  Ｓｈｅｅｔ  Ｆｅｅｄｅｒ）１は、所定の大きさに切断された印刷用紙等の媒体を積層し、積層された媒体を１枚ずつ分離して搬送するものである。ＣＳＦ１は、例えば媒体搬送方向における下流側に配置された印刷部としてのプリンタへ媒体を搬送するものである。
ＣＳＦ１は、ガイドベーシス２と、ブラケット３と、すべりねじ４と、ベルト５と、ノブ６と、リタードユニット７と、すべりねじ８とを有している。
【００１０】
ガイドベーシス２は、媒体を収容する媒体収容部２０に積層された媒体の図中矢印Ｆが示す媒体搬送方向における右側の端部と接触し、媒体の右側の端部の基準位置を決めるガイド部材である。
媒体収容壁としてのブラケット３は、媒体収容部２０に積層された媒体の図中矢印Ｆが示す媒体搬送方向における左側の端部と接触し、媒体の左側の端部の基準位置を決めるガイド部材である。本実施例では、ガイドベーシス２は、ＣＳＦ１の本体に固定され、ブラケット３は、ＣＳＦ１の本体に対して移動可能に構成されている。
【００１１】
すべりねじ４は、ブラケット３を図中矢印Ｆが示す媒体搬送方向に対して略直交する方向へ移動可能に支持するものである。したがって、ブラケット３は、ガイドベーシス２に対して接近または離間可能に構成され、図中矢印Ｆが示す媒体搬送方向に対して直交する方向の媒体の幅に応じて移動可能になっている。
ベルト５は、複数のローラに回転可能に張架され、積層された最下位の媒体と接触して媒体を図中矢印Ｆが示す媒体搬送方向に搬送する無端状のものである。ベルト５は、モータ等の駆動源に接続された駆動プーリの回転駆動により回転する。
【００１２】
第１のユニットとしてのリタードユニット７は、媒体の搬送路に配置され、媒体を分離して搬送するものである。リタードユニット７は、図中矢印Ｆが示す媒体搬送方向におけるベルト５の下流に配置され、ベルト５により搬送された媒体を分離して搬送する。
すべりねじ８は、リタードユニット７を図中矢印Ｆが示す媒体搬送方向に対して略直交する方向へ移動可能に支持するものである。したがって、リタードユニット７は、図中矢印Ｆが示す媒体搬送方向に対して直交する方向の媒体の幅に応じて移動可能になっている。
【００１３】
ノブ６は、すべりねじ４およびすべりねじ８を回転させてブラケット３およびリタードユニット７を連動させて図中矢印Ｆが示す媒体搬送方向に対して略直交する方向における同一方向に移動させるものである。なお、ブラケット３側のベルト５もブラケット３とともに移動する。
すべりねじ４の回転軸と、すべりねじ８の回転軸との間は、ギヤ列で連結されており、回転数のギヤ比が、すべりねじ４：すべりねじ８＝２：１となるように設定されている。
【００１４】
図２は第１の実施例におけるリタードユニットの斜視図である。図２（ａ）はリタードインユニット９をリタードユニット７に装着した状態を示し、図２（ｂ）はリタードインユニット９をリタードユニット７から取り外した状態を示している。
図２において、リタードユニット７は、ホルダーリタードアウト７１と、用紙ガイド７２と、シャフトガイドリタード７３と、リタードインユニット９とを有している。
ホルダーリタードアウト７１は、リタードインユニット９を覆い、リタードインユニット９を保護する部材である。
【００１５】
案内部材としての用紙ガイド７２は、図中矢印Ｆが示す媒体搬送方向におけるリタードインユニット９の下流側に回動可能に配置され、リタードインユニット９により搬送路を搬送される媒体の上面を案内するとともに、リタードインユニット９をリタードユニット７から取り外したとき、図２（ｂ）の矢印Ｇ１が示す方向に回動して媒体の搬送路を閉塞するものである。
回転軸としてのシャフトガイドリタード７３は、ホルダーリタードアウト７１を保持し、リタードインユニット９を回転可能に支持するものである。
【００１６】
用紙ガイド７２は、シャフトガイドリタード７３に回動可能に支持され、シャフトガイドリタード７３の軸方向に延伸するガイド面と、回転軸としてのシャフトガイドリタード７３から軸方向と直交する媒体搬送方向における上流側に延伸する誤搬送防止部材としての誤搬送防止バー７４とを有している。用紙ガイド７２は、リタードインユニット９をリタードユニット７から取り外したとき、図２（ｂ）に示すように、回動して誤搬送防止バー７４により媒体の搬送路を閉塞する。
第２のユニットとしてのリタードインユニット９は、媒体を分離して搬送するリタードローラ９１を保持し、リタードユニット７に対して脱着可能に構成されているものである。
【００１７】
リタードインユニット９は、リタードローラ９１と、ギヤＡ９２、ギヤＢ９５（図５に図示）、ギヤＣ９６（図５に図示）、トルクリミッタ１１（図５に図示）と、ホルダーリタードイン９３とを有している。
分離手段としてのリタードローラ９１は、回転軸に回転可能に支持され、フィードローラ１０（図５に図示）の回転に従動して回転することにより、図１に示すベルト５により媒体収容部２０から送り出され、重送した複数の媒体に接触し、その最下位の媒体を他の媒体から分離する分離ローラである。
【００１８】
ギヤＡ９２は、リタードローラ９１の回転軸に設けられ、図５に図示するトルクリミッタ１１とリタードローラ９１とを連結するためのギヤである。
ホルダーリタードイン９３は、図１に示すベルト５により送り出された媒体をリタードローラ９１へ案内し、リタードローラ９１、ギヤＡ９２、ギヤＢ９５（図５に図示）、ギヤＣ９６（図５に図示）、トルクリミッタ１１（図５に図示）を保持する部材である。
【００１９】
図２（ｂ）に示すように、リタードインユニット９の本体の両側部（媒体搬送方向における両側部）に形成された係合部９７ａを用紙ガイド７２の外側のシャフトガイドリタード７３に係合させ、またリタードインユニット９の本体の両側部に形成された係合部９７ｃ（一方は不図示）をリタードユニット７の両側部に形成された被係合部７８に係合させて図中矢印Ｃが示す方向にリタードインユニット９をリタードユニット７に装着させると、スプリングリタード９４によってリタードインユニット９が図中下方向（媒体搬送路方向）に押圧される構成となっている。
【００２０】
また、リタードインユニット９をリタードユニット７に装着させると、リタードインユニット９の係合部９７ａを挟むように配置され、シャフトガイドリタード７３側に向かって突出するように形成された係合部としての突出部９８ａおよび突出部９８ｂ（図６参照）が、用紙ガイド７２に形成された被係合部としての当接部７６ａおよび当接部７６ｂ（図６参照）に当接して図中矢印Ｇ２が示す方向に用紙ガイド７２を回動させて媒体搬送路を開放し、誤搬送防止バー７４による媒体搬送路の閉塞を解除する。
【００２１】
なお、リタードユニット７からリタードインユニット９が外されると、突出部９８ａおよび突出部９８ｂと当接部７６ａおよび当接部７６ｂ（図６参照）との係合が解かれ、図中矢印Ｇ１が示す方向に用紙ガイド７２が自重で回動して誤搬送防止バー７４により媒体搬送路を閉塞する。
このように構成されたＣＳＦ１はＣＰＵ（Ｃｅｎｔｒａｌ  Ｐｒｏｃｅｓｓｉｎｇ  Ｕｎｉｔ）等の制御手段およびメモリ等の記憶手段を備え、記憶手段に記憶された制御プログラムに基づいて制御手段がＣＳＦ１全体の動作を制御する。
【００２２】
上述した構成の作用について説明する。
まず、媒体搬送装置の媒体収容部に媒体を装填するときの作用を図３の第１の実施例における幅広媒体使用時の媒体搬送装置の説明図および図４の第１の実施例における幅狭媒体使用時の媒体搬送装置の説明図に基づいて説明する。なお、図３および図４はＣＳＦ１を前方斜め上方から見た図である。また、リタードインユニット９はリタードユニット７に装着されている。
【００２３】
図３および図４において、ユーザは、媒体を媒体収容部に載置し、ノブ６を回転させてブラケット３を媒体の幅方向における端部に近接し、媒体を挟み込んで負荷にならない程度の微小の隙間を保持する位置に移動させる。なお、ブラケット３と媒体との間の隙間を開けすぎると、媒体が斜行して搬送されるので注意が必要である。このように、ブラケット３を移動させて媒体の幅方向における一端部をガイドベーシス２に近接させ、他端部をブラケット３に近接させる。
【００２４】
ノブ６を回転させると、ブラケット３およびリタードユニット７が、図中矢印Ｆが示す媒体搬送方向と直交する媒体の幅方向に移動する。
ノブ６の回転は、ギヤ列を介してすべりねじ４およびすべりねじ８を回転させ、すべりねじ４に支持されたブラケット３を移動させ、またすべりねじ８に支持されたリタードユニット７を媒体の幅方向において同じ方向に移動させる。
【００２５】
すべりねじ４の回転軸と、すべりねじ８の回転軸との間は、ギヤ列で連結されており、回転数のギヤ比が、すべりねじ４：すべりねじ８＝２：１となるように設定されているため、リタードユニット７の移動距離は、ブラケット３に移動距離の２分の１になっている。
したがって、ブラケット３を媒体の幅に合わせて移動させると、リタードユニット７は媒体搬送方向と直交する媒体の幅方向における媒体の略中央に配置されるようになっている。
【００２６】
図３は、幅広媒体Ｐａを媒体収容部に積層させ、ノブ６を回転させてブラケット３およびリタードユニット７を、図中矢印Ｆが示す媒体搬送方向と直交する媒体の幅方向に移動させた状態を示している。
また、図４は、幅広媒体Ｐａより幅が狭い幅狭媒体Ｐｂを媒体収容部に積層させ、ノブ６を回転させてブラケット３およびリタードユニット７を、図中矢印Ｆが示す媒体搬送方向と直交する媒体の幅方向（矢印Ｄが示す方向）に移動させた状態を示している。
【００２７】
本実施例では、ブラケット３を媒体の幅に合わせて移動させると、リタードユニット７は媒体搬送方向と直交する媒体の幅方向における当該媒体の中央部に配置される。
次に、媒体搬送装置がリタードユニットにより媒体を分離して搬送する動作を図５の第１の実施例における媒体搬送装置の断面図および図６の第１の実施例におけるリタードユニットの断面図に基づいて説明する。なお、図５は図１におけるＡＡ断面図であり、図６は図２（ａ）におけるＢＢ断面図である。また、リタードインユニット９はリタードユニット７に装着されている。
【００２８】
ＣＳＦ１の媒体収容部２０に積層された媒体Ｐは、回転するベルト５によりフィードローラ１０とリタードローラ９１との接触部まで搬送される。フィードローラ１０は、ベルト５の回転駆動と同じタイミングでモータ等の駆動源からギヤ列を介して回転駆動が伝達され、図中矢印Ｅが示す方向に回転する。
リタードローラ９１は、フィードローラ１０の外周面に接触しているため、フィードローラ１０の回転に従動して回転する。
【００２９】
このとき、リタードローラ９１は、ギヤＡ９２、ギヤＢ９５、ギヤＣ９６を介してトルクリミッタ１１に連結しているため、ベルト５により重なって搬送された複数の媒体Ｐのうち、最下位の媒体Ｐと、それ以外の媒体Ｐとを分離する。
リタードローラ９１により分離された最下位の媒体Ｐは、回転するフィードローラ１０により媒体搬送方向の下流側に搬送される。
ベルト５は、排出センサ１２により媒体Ｐの先端部を検出するまで回転して媒体Ｐの搬送を続ける。
【００３０】
排出センサ１２が媒体Ｐの後端部を検知する前において、リタードセンサ１３により媒体Ｐの後端部を検知した場合、リタードセンサ１３により後続の媒体が検知できるまで、ベルト５は回転駆動する。この動作は、ベルト５による媒体Ｐの搬送において媒体Ｐが１枚しか搬送されず、２枚目以降の媒体Ｐが分離板１４の位置に留まった場合に、媒体間距離を維持するため、常に媒体Ｐを媒体搬送方向におけるリタードローラ９１の上流側手前の位置に待機させるための動作である。
【００３１】
また、用紙ガイド７２のシャフトガイドリタード７３の軸の孔の下方の凸部７２ａは、媒体の搬送路の案内の役割を果たしている。さらに、図６に示すように、リタードインユニット９の突出部９８ａおよび突出部９８ｂが用紙ガイド７２に形成された当接部７６ａおよび当接部７６ｂに当接し、用紙ガイド７２は、図５に示すように、略水平になるように保持されて媒体の搬送路を解放している。
このように、リタードインユニット９がリタードユニット７に装着されている状態では、用紙ガイド７２は、略水平になるように回動して媒体の搬送路を解放するとともに、搬送路を搬送される媒体を案内する。
【００３２】
次に、リタードインユニット９をリタードユニット７から外したときの媒体搬送装置の動作を図７の第１の実施例におけるリタードインユニット取外し時の媒体搬送装置の断面図および図８の第１の実施例におけるリタードインユニット取外し時の用紙ガイドの説明図に基づいて説明する。なお、図７はリタードインユニット９をリタードユニット７から外したとき（図２参照）の図１におけるＡＡ断面図であり、図８はリタードインユニット９をリタードユニット７から外したときの図７における用紙ガイド７２の拡大説明図である。
リタードインユニット９は、図２に示すように、リタードユニット７のシャフトガイドリタード７３から取り外し可能になっている。これは、リタードローラ９１に付着した紙粉等の異物を取り除くなどの清掃を可能にするためである。
【００３３】
リタードユニット７からリタードインユニット９を取り外すと、図６に示す突出部９８ａおよび突出部９８ｂで略水平状態が保持されていた用紙ガイド７２は、突出部９８ａおよび突出部９８ｂと当接部７６ａおよび当接部７６ｂとの係合が解かれ、自重により図７の矢印Ｇが示す鉛直下方に回転し、誤搬送防止バー７４が媒体の搬送路を閉塞する位置まで回転する。
このとき、シャフトガイドリタード７３を挟んで誤搬送防止バー７４の反対側の用紙ガイド７２の後端の突起部７５がリタードユニット７のホルダーリタードアウト７１に形成された規制部７１ａに当接し、用紙ガイド７２の回動が規制されて誤搬送防止バー７４が媒体の搬送路を閉塞する位置に保持される。
【００３４】
このように、リタードインユニット９がリタードユニット７から取り外された状態（誤搬送防止バー７４が媒体の搬送路を閉塞している状態）において、媒体Ｐがベルト５によって搬送された場合、媒体Ｐの先端部は用紙ガイド７２の誤搬送防止バー７４に形成された案内部７４ａに接触して案内され、さらにリタードユニット７に形成された当接部７７まで搬送されて当接部７７に当接する。したがって、当接部７７で媒体Ｐの搬送を止めることができる。
媒体Ｐを搬送する場合、分離板１４の位置から排出センサ１２の位置まで距離Ｘ１（ｍｍ）とベルトすべり余裕距離α（ｍｍ）を合計した距離をベルト５で搬送しても排出センサ１２で媒体Ｐの先端部を検知できないとき、媒体の詰りとしてベルト５の駆動を停止する。
【００３５】
そのため、搬送路を閉塞された媒体Ｐは分離板１４の位置から当接部７７までの距離Ｘ２（ｍｍ）搬送された後、距離Ｘ１（ｍｍ）−距離Ｘ２（ｍｍ）の距離分（なお、ベルトすべり余裕距離は含んでいない）を当接部７７に突き当てられる。このとき、ベルト５は媒体Ｐとの間で滑ることにより、媒体Ｐが停止するため、媒体Ｐの誤搬送を防止することができる。
このように、リタードユニット７からリタードインユニット９を取り外すと、自重により、媒体の搬送路を閉塞する位置まで回転する用紙ガイド７２をリタードユニット７に設けたことにより、簡易な構成で媒体の誤搬送を抑制することができる。
【００３６】
また、用紙ガイド７２に設けた誤搬送防止バー７４が媒体の搬送路を閉塞するようにしているため、リタードインユニット９が外されたことを検知するセンサ等を設けることなく、リタードユニット７からリタードインユニット９が外された場合の媒体の誤搬送を簡易な構成で抑制することができる。
さらに、リタードインユニット９が外されたことを検知するセンサやセンサケーブル等を必要としないため、センサ等を実装するスペースが不要になり、またリタードユニット７が媒体の幅方向に移動した場合であってもセンサケーブルの屈曲によるケーブルの断線等の異常が発生しなくなる。
【００３７】
また、リタードユニット７からリタードインユニット９を取り外した場合、プリンタに媒体が搬送されることがないため、媒体をＣＳＦ１内で排除することができ、ユーザの操作負担を軽減することができる。
以上説明したように、第１の実施例では、リタードユニットからリタードインユニットを取り外した場合、媒体の搬送路を閉塞する位置まで回転する用紙ガイドをリタードユニットに設けたことにより、簡易な構成で媒体の誤搬送を抑制することができるという効果が得られる。
【実施例２】
【００３８】
第２の実施例の構成は、ホルダーリタードアウトおよびリタードユニットの用紙ガイドの構成が第１の実施例の構成と異なっている。
その第２の実施例の構成を図９の第２の実施例におけるリタードインユニットの斜視図に基づいて説明する。なお、上述した第１の実施例と同様の部分は、同一の符号を付してその説明を省略する。また、図９はリタードインユニット９をリタードユニット７から取り外した状態を示している。
【００３９】
図９において、リタードユニット７のホルダーリタードアウト７１は、図中矢印Ｆが示す媒体搬送方向におけるシャフトガイドリタード７３の上流側に、用紙ガイド７２を挟んで媒体の先端部を収容するＵ字状の切欠き部７９ａおよび切欠き部７９ｂが形成されている。
また、用紙ガイド７２の誤搬送防止バー７４に、傾斜面７４ｂが形成されている。この傾斜面７４ｂは、誤搬送防止バー７４の回転支点と自由端部７４ｃとの間から回転支点の上部（切欠き部７９ａおよび切欠き部７９ｂ側の端部）までが連続するように形成されている。
【００４０】
すなわち、リタードインユニット９をリタードユニット７から取り外した状態において、回動した用紙ガイド７２の誤搬送防止バー７４の傾斜面７４ｂは、誤搬送防止バー７４の自由端部７４ｃから切欠き部７９ａおよび切欠き部７９ｂへ媒体を案内するように形成されている。
上述した構成の作用について説明する。
なお、媒体搬送装置の媒体収容部に媒体を装填するときの作用、および媒体搬送装置がリタードユニットにより媒体を分離して搬送する動作は第１の実施例と同様なのでその説明を省略する。
【００４１】
リタードインユニットをリタードユニットから外したときの媒体搬送装置の動作を図１０の第２の実施例におけるリタードインユニット取外し時の媒体搬送装置の断面図および図１１の第２の実施例におけるリタードインユニット取外し時の用紙ガイドの説明図に基づいて説明する。なお、図１０はリタードインユニット９をリタードユニット７から外したとき（図２参照）の図１におけるＡＡ断面図であり、図１１はリタードインユニット９をリタードユニット７から外したときの図１０における用紙ガイド７２の拡大説明図である。
【００４２】
リタードユニット７からリタードインユニット９を取り外すと、第１の実施例と同様に、図６に示す突出部９８ａおよび突出部９８ｂで略水平状態が保持されていた用紙ガイド７２は、自重により図１０の矢印Ｇが示す鉛直下方に回転し、誤搬送防止バー７４が媒体の搬送路を閉塞する位置まで回転する。
このとき、シャフトガイドリタード７３を挟んで誤搬送防止バー７４の反対側の用紙ガイド７２の後端の突起部７５がホルダーリタードアウト７１に当接し、用紙ガイド７２の回転が規制されて誤搬送防止バー７４が媒体の搬送路を閉塞する位置に保持される。
【００４３】
このように、リタードインユニット９がリタードユニット７から取り外された状態（誤搬送防止バー７４が媒体の搬送路を閉塞している状態）において、媒体Ｐがベルト５によって搬送された場合、媒体Ｐの先端部は用紙ガイド７２の誤搬送防止バー７４の傾斜面７４ｂに接触して案内され、さらに切欠き部７９ａおよび切欠き部７９ｂまで搬送され、切欠き部７９ａおよび切欠き部７９ｂの内側の湾曲部に沿って搬送される。
本実施例においても、媒体Ｐを搬送する場合、分離板１４の位置から排出センサ１２の位置まで距離Ｘ１（ｍｍ）とベルトすべり余裕距離α（ｍｍ）を合計した距離をベルト５で搬送しても排出センサ１２で媒体Ｐの先端部を検知できないとき、媒体の詰りとしてベルト５の駆動を停止する。
【００４４】
そのため、搬送路を閉塞された媒体Ｐは分離板１４の位置から切欠き部７９ａおよび切欠き部７９ｂまでの距離Ｘ２（ｍｍ）搬送された後、距離Ｘ１（ｍｍ）−距離Ｘ２（ｍｍ）の距離分（なお、ベルトすべり余裕距離は含んでいない）を切欠き部７９ａおよび切欠き部７９ｂの内側の湾曲部に沿って搬送される。このように、媒体Ｐの先端部を切欠き部７９ａおよび切欠き部７９ｂの内側の湾曲部に沿って搬送させるようにしたことにより、媒体Ｐの誤搬送を防止することができる。
【００４５】
このように、リタードユニット７からリタードインユニット９を取り外すと、自重により、媒体の搬送路を閉塞する位置まで回転する用紙ガイド７２をリタードユニット７に設け、さらにリタードインユニット９がリタードユニット７から取り外された状態で媒体Ｐがベルト５によって搬送された場合、媒体Ｐの先端部を案内する湾曲した切欠き部７９ａおよび切欠き部７９ｂをリタードユニット７に形成したことにより、媒体Ｐに傷をつけることなく、媒体Ｐの誤搬送を防止することができる。
さらに、媒体Ｐの詰まりが検出された後も、当該媒体Ｐを再利用することができる。
【００４６】
以上説明したように、第２の実施例では、第１の実施例の効果に加え、リタードインユニットがリタードユニットから取り外された状態で媒体が搬送された場合、媒体の先端部を案内する湾曲した切欠き部をリタードユニットに形成したことにより、媒体に傷をつけることがなく、媒体の再利用が可能になるという効果が得られる。
なお、第１の実施例および第２の実施例では、媒体搬送装置をＣＳＦ１を例に説明したが、それに限られることなく、リタードローラを用いたプリンタの用紙カセットや取り外し可能なローラ等の搬送手段を有するものであればプリンタ以外の媒体搬送装置としても良い。
【符号の説明】
【００４７】
１    ＣＳＦ
２    ガイドベーシス
３    ブラケット
４、８  すべりねじ
５    ベルト
６    ノブ
７    リタードユニット
９    リタードインユニット
２０  媒体収容部
７１  ホルダーリタードアウト
７１ａ  規制部
７２  用紙ガイド
７３  シャフトガイドリタード
７４  誤搬送防止バー
７４ａ  案内部
７４ｂ  傾斜面
７４ｃ  自由端部
７５  突起部
７６ａ、７６ｂ、７７  当接部
７８  被係合部
７９ａ、７９ｂ  切欠き部
９１  リタードローラ
９３  ホルダーリタードイン
９７ａ、９７ｂ、９７ｃ  係合部
９８ａ、９８ｂ  突出部
【図１】
0006594118.tif 000002
【図２】
0006594118.tif 000003
【図３】
0006594118.tif 000004
【図４】
0006594118.tif 000005
【図５】
0006594118.tif 000006
【図６】
0006594118.tif 000007
【図７】
0006594118.tif 000008
【図８】
0006594118.tif 000009
【図９】
0006594118.tif 000010
【図１０】
0006594118.tif 000011
【図１１】
0006594118.tif 000012